(57)【要約】      （修正有）【課題】検査中の高速回転のウェーハに対して、リアルタイムでその反り量を検出する。【解決手段】被検査体１に光を照射する第一の光照射部６００と、該被検査体１からの散乱光を検出する第一の検出器７７０と、前記被検査体１に光を照射する第二の光照射部９２０と、前記第二の光照射部９２０の光によって前記被検査体１から反射した光を検出する第二の検出器９１０と、前記被検査体を移動させる被検査体移動ステージ４１０と、前記光が照射される位置の位置座標の情報を出力する検査座標検査部４５０と、前記第二の検出器９１０からの検出信号に基づいて前記被検査体１の高さ情報を出力する昇降駆動制御回路９４０と、前記検査座標検査部４５０からの位置座標の情報と前記昇降駆動制御回路９４０からの高さ情報に基づいて前記被検査体１のそり量を算出するデータ処理部５００を備えた。【選択図】図２
2010175551.tif 000002
【特許請求の範囲】
【請求項１】
被検査体に光を照射する第一の光照射部と、
該被検査体からの散乱光を検出する第一の検出器と、
前記被検査体に光を照射する第二の光照射部と、
前記第二の光照射部の光によって前記被検査体から反射した光を検出する第二の検出器と、
前記第一の光照射部の光と前記第二の光照射部の光が前記被検査物上の照射される位置を変わるように前記被検査体を移動させる被検査体移動ステージと、
前記被検査体の裏面から流量制御したガスを供給するガス供給部と、
前記第二の光照射部の光が照射される位置座標の情報を出力する検査座標検査部と、
前記第二の検出器からの検出信号に基づいて前記被検査体の高さ情報を出力する昇降駆動制御回路と、
前記検査座標検査部からの位置座標の情報と前記昇降駆動制御回路からの高さ情報に基づいて前記被検査体の変形状態を算出するデータ処理部と
を備えたことを特徴とする検査装置。
【請求項２】
被検査体に光を照射して検査する検査装置において、
前記被検査体の変形状態を算出するデータ処理部を有することを特徴とする検査装置。
【請求項３】
被検査体に光を照射する第一の光照射部と、
該被検査体からの散乱光を検出する第一の検出器と、
前記被検査体に光を照射する第二の光照射部と、
前記第二の光照射部の光によって前記被検査体から反射した光を検出する第二の検出器と、
前記第一の光照射部の光と前記第二の光照射部の光が前記被検査物上の照射される位置を変わるように前記被検査体を移動させる被検査体移動ステージと、
前記被検査体の裏面から流量制御したガスを供給するガス供給部と、
前記第二の光照射部の光が照射される位置座標の情報を出力する検査座標検査部と、
前記第二の検出器からの検出信号に基づいて前記被検査体の高さ情報を出力する昇降駆動制御回路と、
前記検査座標検査部からの位置座標の情報と前記昇降駆動制御回路からの高さ情報に基づいて前記被検査体の変形状態を算出するデータ処理部と
を備えたことを特徴とする検査装置。
【請求項４】
被検査体に光を照射して検査する検査装置において、
前記被検査体の形状を矯正する矯正手段を有することを特徴とする検査装置。
【請求項５】
請求項４において、
前記矯正手段は、前記被検査体へ支持力を与えることを特徴とする検査装置。
【請求項６】
請求項４において、
前記矯正手段は、前記被検査体の裏面へガスを供給するガス供給部を有することを特徴とする検査装置。
【請求項７】
被検査体に光を照射する第一の光照射部と、
該被検査体からの散乱光を検出する第一の検出器と、
前記被検査体に光を照射する第二の光照射部と、
前記第二の光照射部の光によって前記被検査体から反射した光を検出する第二の検出器と、
前記第一の光照射部の光と前記第二の光照射部の光が前記被検査物上の照射される位置を変わるように前記被検査体を移動させる被検査体移動ステージと、
前記被検査体の被検査面の裏側へ流量制御したガスを供給するガス供給部と、
前記第二の検出器からの検出信号に基づいて前記被検査体の高さ情報を出力する昇降駆動制御回路と、
前記検査座標検査部からの位置座標の情報と前記昇降駆動制御回路からの高さ情報に基づいて前記被検査体の変形状態を算出するデータ処理部と、
前記算出された変形状態に基づいて前記ガス供給部に供給するガス流量を制御する流量制御器と
を備えたことを特徴とする検査装置。
【請求項８】
被検査体に光を照射して検査する検査装置において、
前記被検査体の変形状態を算出するデータ処理部と、
前記被検査体の形状を矯正する矯正手段とを有することを特徴とする検査装置。
【請求項９】
請求項８において、
前記矯正手段は、前記データ処理部により算出された前記被検査体の変形状態に基づいて、前記被検査体へ支持力を与えることを特徴とする検査装置。
【請求項１０】
請求項９において、
前記矯正手段は、前記データ処理部により算出された前記被検査体の変形状態に基づいて、前記被検査体裏面へのガス流量を制御することを特徴とする検査装置。
【請求項１１】
被検査体に光ビームを走査しながら照射して、前記被検査体からの散乱光を検出する検査方法において、
前記光ビームとは別の第二の光ビームを前記被検査体に照射し、
前記第二の光ビームの反射光によって前記被検査体の高さ情報を採取し、
前記高さ情報に応じて前記被検査体の高さを所定位置に制御し、
前記所定位置への制御情報に基づいて前記被検査体の変形状態を算出する
ことを特徴とする検査方法。
【請求項１２】
被検査体に光を照射して検査する検査方法において、
前記被検査体の変形状態を算出することを特徴とする検査方法。
【請求項１３】
被検査体に光ビームを走査しながら照射して、前記被検査体からの散乱光を検出する検査方法において、
前記被検査体の被検査面の裏側へ流量制御したガスを供給しながら、
前記光ビームとは別の第二の光ビームを前記被検査体に照射し、
前記第二の光ビームの反射光によって前記被検査体の高さ情報を採取し、
前記高さ情報に応じて前記被検査体の高さを所定位置に制御し、
前記所定位置への制御情報に基づいて前記被検査体の変形状態を算出し、
前記算出された変形状態に応じて前記被検査面の裏側へ供給するガス流量を制御する
ことを特徴とする検査方法。
【請求項１４】
被検査体に光を照射して検査する検査方法において、
前記被検査体の変形状態を算出し、
前記被検査体の形状を矯正することを特徴とする検査方法。
【請求項１５】
請求項１４において、
前記被検査体の形状を矯正することは、算出された前記被検査体の変形状態に基づいて、前記被検査体へ支持力を与えることである検査方法。
【請求項１６】
請求項１５において、
前記被検査体の形状を矯正することは、算出された前記被検査体の変形状態に基づいて、前記被検査体裏面へのガス流量を制御することである検査方法。
【発明の詳細な説明】
【技術分野】
【０００１】
本発明は、被検査体の検査方法ないし検査装置に関する。例えば、半導体ウェーハ,ガラス基板,セラミック基板などの被検査体の異物や欠陥等を検査する検査方法及び表面検査装置に適している。
【背景技術】
【０００２】
半導体ウェーハの表面に異物や欠陥が存在する場合、半導体デバイスの歩留りに影響を及ぼすことから、表面検査装置によって半導体ウェーハの表面検査が行われてきた。このウェーハ表面に存在する異物や欠陥を検査する従来技術としては、米国特許第６,２０１,６０１号公報（特許文献１），特開平１１−１５３５４９号公報（特許文献２）が知られている。
【０００３】
上記特許文献１の表面検査装置には、レーザを光源とした照明光学系によって垂直ビームと傾斜ビームをウェーハ上に照射し、ウェーハからの散乱光を放物面鏡で集光して検出器で検出することが記載されている。垂直ビームで発生した散乱光と、傾斜ビームで発生した散乱光は、二つの照射ビームを意図的にオフセットを付けて照射するか、若しくは二つの異なった波長の光を照射に用いるか、または垂直照射ビームと傾斜照射ビームを交互に切換えて照射するかによって分離される。試料高さの変化によって生じるビーム照射位置の誤差は、傾斜照射ビームの正反射光を検出し、該正反射光の検出結果に応じて照射方向をミラーで変更することによって修正される。
【０００４】
また、特許文献２の表面検査装置には、光学系を介して、光源からの光を測定対象物の表面に斜め方向から照射するとともに、測定対象物の表面から反射した散乱光を受光し、その間に、測定対象物と光学系を相対的に変位させて、測定対象物の表面上の異物を検査し、異物の座標位置を記録する測定対象物表面の検査方法において、測定対象物表面上の異物の検査時に、測定対象物の高さを測定し、その測定対象物の高さ信号を利用して異物の座標位置を補正することが記載されている。
【先行技術文献】
【特許文献】
【０００５】
【特許文献１】米国特許第６,２０１,６０１号公報
【特許文献２】特開平１１−１５３５４９号公報
【発明の概要】
【発明が解決しようとする課題】
【０００６】
ところで、半導体ウェーハに存在する異物や欠陥は、半導体デバイスの微細化の進展に伴って管理基準がより厳しくなってきている。近年では、ウェーハ裏面に付着した異物や裏面状態までもが、半導体デバイスの歩留りに影響を及ぼすため、ウェーハの表面と共に、裏面に存在する異物や欠陥の検査も求められている。このような検査では、ウェーハ表裏面を非接触でハンドリングするエッジグリップ方式のステージが用いられる。しかし、表裏面を非接触とする内部空間を設けて、ウェーハ自体をエッジで保持するため、ウェーハの自重や回転に伴う内部空間の圧力変動によって、ウェーハに大きな変形（撓み，反り）を生じる。このウェーハの変形は異物や欠陥の検出感度や座標精度が著しく低下させるため、動作中の変形状態を検出して、その状態を補正することが、検出感度や座標精度を維持する上で必要となってくる。
【０００７】
しかしながら、上記従来技術には、ウェーハに存在する異物や欠陥を検査しながら、ウェーハの変形状態を検出することについては考慮がなされておらず、表面検査装置の検出感度や位置座標精度の信憑性を判断したり、これらの検出感度や位置座標精度の性能を維持する上で、ウェーハの形状が適正範囲であるか否かを判別できないという課題がある。
また、検出されたウェーハの変形状態に対するウェーハ形状の矯正については考慮がなされていないため、変形に対するオートフォーカス機構の追従性が低下し、ウェーハ表面に照射される垂直照射ビームスポット及び斜方照射ビームスポットの焦点ズレや照射位置ズレによって異物や欠陥の検出感度や位置座標精度が低下する。検査中のウェーハの変形が著しい場合には、微小な異物や欠陥は、検出できないという課題がある。
【０００８】
本発明の一つの目的は、検査中の被検査体の変形状態を検出できる検査装置およびその方法を提供することにある。
【０００９】
また本発明の他の目的は、検査中の被検査体の変形状態を検出し、検出された変形状態に応じて、適正に被検査体の変形状態を矯正する検査装置およびその方法を提供することにある。
【課題を解決するための手段】
【００１０】
本発明の一つの特徴は、被検査体を検査しながら被検査体の変形状態を検出する点にある。より具体的にいえば、例えば、被検査体に光を照射する第一の光照射部と、該被検査体からの散乱光を検出する第一の検出器と、前記被検査体に光を照射する第二の光照射部と、前記第二の光照射部の光によって前記被検査体から反射した光を検出する第二の検出器と、前記第一の光照射部の光と前記第二の光照射部の光が前記被検査物上の照射される位置を変わるように前記被検査体を移動させる被検査体移動ステージと、前記第二の光照射部の光が照射される位置座標の情報を出力する検査座標検査部と、前記第二の検出器からの検出信号に基づいて前記被検査体の高さ情報を出力する昇降駆動制御回路と、前記検査座標検査部からの前記第二の光照射部の光が照射される位置座標の情報と前記昇降駆動制御回路からの高さ情報に基づいて前記被検査体の変形状態を算出するデータ処理部とを備えた検査装置である。
【００１１】
本発明の他の特徴は、被検査体を検査しながら被検査体の変形状態を検出する際に、形状矯正用のガスポートを有する点にある。より具体的にいえば、例えば、被検査体に光を照射する第一の光照射部と、該被検査体からの散乱光を検出する第一の検出器と、前記被検査体に光を照射する第二の光照射部と、前記第二の光照射部の光によって前記被検査体から反射した光を検出する第二の検出器と、前記第一の光照射部の光と前記第二の光照射部の光が前記被検査物上の照射される位置を変わるように前記被検査体を移動させる被検査体移動ステージと、前記被検査体の裏面から流量制御したガスを供給するガス供給部と、前記第二の光照射部の光が照射される位置座標の情報を出力する検査座標検査部と、前記第二の検出器からの検出信号に基づいて前記被検査体の高さ情報を出力する昇降駆動制御回路と、前記検査座標検査部からの位置座標の情報と前記昇降駆動制御回路からの高さ情報に基づいて前記被検査体の変形状態を算出するデータ処理部とを備えた検査装置である。
【００１２】
本発明のその他の特徴は、被検査体を検査しながら被検査体の変形状態を検出し、検出結果に応じて形状矯正用ガス流量を制御する点にある。より具体的にいえば、例えば、被検査体に光を照射する第一の光照射部と、該被検査体からの散乱光を検出する第一の検出器と、前記被検査体に光を照射する第二の光照射部と、前記第二の光照射部の光によって前記被検査体から反射した光を検出する第二の検出器と、前記第一の光照射部の光と前記第二の光照射部の光が前記被検査物上の照射される位置を変わるように前記被検査体を移動させる被検査体移動ステージと、前記被検査体の被検査面の裏側へ流量制御したガスを供給するガス供給部と、前記第二の検出器からの検出信号に基づいて前記被検査体の高さ情報を出力する昇降駆動制御回路と、前記検査座標検査部からの位置座標の情報と前記昇降駆動制御回路からの高さ情報に基づいて前記被検査体の変形状態を算出するデータ処理部と、前記算出された変形状態に基づいて前記ガス供給部に供給するガス流量を制御する流量制御器とを備えた検査装置である。
【００１３】
本発明の更にその他の特徴は、被検査体に光ビームを走査しながら照射して、前記被検査体からの散乱光を検出する検査方法において、前記光ビームとは別の第二の光ビームを前記被検査体に照射し、前記第二の光ビームの反射光によって前記被検査体の高さ情報を採取し、前記高さ情報に応じて前記被検査体の高さを所定位置に制御し、前記所定位置への制御情報に基づいて前記被検査体の変形状態を算出することを特徴とする検査方法である。
【００１４】
更に、本発明のその他の特徴は、被検査体に光ビームを走査しながら照射して、前記被検査体からの散乱光を検出する検査方法において、前記被検査体の被検査面の裏側へ流量制御したガスを供給しながら、前記光ビームとは別の第二の光ビームを前記被検査体に照射し、前記第二の光ビームの反射光によって前記被検査体の高さ情報を採取し、前記高さ情報に応じて前記被検査体の高さを所定位置に制御し、前記所定位置への制御情報に基づいて前記被検査体の変形状態を算出し、算出された変形状態に応じて前記被検査面の裏側へ供給するガス流量を制御することを特徴とする検査方法である。
【発明の効果】
【００１５】
本発明の一つの様態によれば、検査中の被検査体の変形状態を検出することが可能な、検査装置および検査方法を提供することができる。
【００１６】
本発明の他の様態によれば、検査中の被検査体の変形状態を検出し、検出された変形状態に応じて、適正に被検査体の形状を矯正することが可能な、検査装置および検査方法を提供することができる。
【図面の簡単な説明】
【００１７】
【図１】本発明の一実施例に係る表面検査装置の概略構成を示した平面図。
【図２】前記表面検査装置の検査部の内部構成を示す正面図。
【図３】（ａ）は、複数の段差からなるエアーギャップ形成部を有するチャック、（ｂ）は凸状の曲面のエアーギャップ形成部を有するチャック。
【図４】本発明に係わるガス供給系の概略構成を示す図。
【図５】本発明に係わるガス供給系を制御するための設定画面を示した図。
【図６】本発明に係わる光照射部を示す平面図。
【図７】本発明に係わる第一検出器の概略構成を示す上面図。
【図８】２分割センサーを用いた場合の高さ位置制御部の概略構成を示す正面図。
【図９】２分割センサーを用いた場合の検査面高さとセンサー出力との関係を示す図。
【図１０】本発明に係わる反り測定結果及びガス供給量を試算する表示画面の概略構成を示した図。
【発明を実施するための形態】
【００１８】
本発明の検査方法及び検査装置は、例えば、半導体ウェーハ，液晶パネルやＴＦＴモジュール用のガラス基板，センサーやＬＥＤ等に用いられるサファイヤ基板やセラミック基板など、平板状の被検査体に適用することができる。以下に説明する実施の形態においては、被検査体に半導体ウェーハを用いた表面検査装置及び表面検査方法を例に挙げて説明する。
【実施例１】
【００１９】
図１は、本発明の一実施形態である表面検査装置の概略構成を示した平面図である。表面検査装置は、ウェーハ（被検査体）１の載置機能を備えた複数のロードポート１００，搬送部２００，プリアライメント部３００，検査部４００、及びデータ処理部５００から構成されている。ロードポート１００には、ウェーハ１を収容するためのウェーハポッド１１０が載置される。複数のロードポート１００は、その全てに検査処理用のウェーハポッド１１０を載置することもできるし、その一部を、不良と判定されたウェーハ１の分離回収用途として、運用することもできる。
【００２０】
搬送部２００は、ウェーハ１を搬送する搬送装置２１０とＹ軸搬送ユニット２５０などから構成されている。搬送装置２１０は、データ処理部５００からの指令信号に基づいて駆動され、ウェーハ１の表面および裏面を非接触でハンドリングするエッジグリップ型のハンドリングアーム２２０を備えている。ハンドリングアーム２２０は、略Ｕ字形のフォークに固持側壁部２３０と、それと対向して配設された把持ブロック２４０を含んで構成される。固持側壁部２３０と把持ブロック２４０によるウェーハ１端部（エッジ）の押圧によって、ウェーハ１自体を端部で把持し、ロードポート１００ａ，１００ｂ，プリアライメント部３００、及び検査部４００の各ユニット間を搬送する。
【００２１】
プリアライメント部３００は、ウェーハ１端部を３〜４ポイントで支持する載置台３１０と、ウェーハ１の外縁部を検出するセンサー３２０などから構成される。ウェーハ１を載置した載置台３１０は、ウェーハ１を回転させながらセンサー３２０で外縁部を検出し、ウェーハ１の位置（略中心位置）及びノッチ位置をプリアライメントする。ウェーハ１を外周端部で支持することにより、ウェーハ１における被検査面の裏面を非接触でプリアライメントできる。
【００２２】
プリアライメント部３００の上方には、図示しない反転ユニットの受け台が配設される。ウェーハ１における裏面を被検査面とした検査の際には、該ユニットにてウェーハ１の表裏面を反転させる。この反転ユニットによって、ウェーハ１の表面若しくは裏面を被検査面とした、基板搬送が可能となっている。
【００２３】
データ処理部５００は、コントローラ５１０，キーボードやタッチパネルまたはマウス等からなる入力装置５２０，ＣＲＴやフラットパネルディスプレイ等からなる表示装置５３０，プリンタ等の出力装置５４０，外部メディアを制御する外部記憶装置５５０から構成される。このコントローラ５１０は、演算処理装置５１１とＨＤＤ等の記憶装置５１２及び制御装置５１３を含んで構成され、入力装置５２０からの指令に基づいて異物検査装置全体を制御する。設定条件や検査結果、及び検査装置の動作状態は、表示装置５３０によって表示され、各々の情報は出力装置５４０を介して出力される。
【００２４】
図２は、図１に示した検査部４００の内部構成を示した縦断面図である。検査部４００は、ウェーハ１を走査するための被検査体移動ステージ４１０、例えば可視レーザ光や紫外レーザ光などの光ビーム（照明光）６５８を照射する第一光照射部６００，ウェーハ１の被検査面からの散乱光を検出する第一検出部７７０，被検査面を焦点位置に制御する後述の高さ位置制御部９００などから構成されている。
【００２５】
図６は、第一光照射部６００の概略構成を示す図である。第一光照射部６００は、光ビーム６５８を発生させるレーザ光源６５１，レーザ光を遮断するシャッタ６５２，光ビーム６５８の強度を調整するアッテネータ６５３，光ビーム６５８の光軸ずれを補正する光軸補正機構６５４，光ビーム６５８の照射方向を斜方或いは垂直に切換える照射方向切換え機構６５５，光ビーム６５８の断面形状を所定の形状に成形するビーム成形機構６５６ａ，６５６ｂ、及び光ビーム６５８の進路方向を変えるミラー６５７ａ〜６５７ｇから構成される（照射機構）。
【００２６】
レーザ光源６５１から出射された光ビーム６５８は、ミラー６５７ａを経てアッテネータ６５３で検査に適したエネルギー密度に調整される。次に光軸ずれを補正する光軸補正機構６５４，ミラー６５７ｂを経て、照射方向切換え機構６５５へ送られる。照射方向切換え機構６５５は、ミラーと平行平板ガラス及びハーフミラーなどの光学素子を含んで構成され、この光学素子を選択することにより、光ビーム６５８の通過する光路を変更することができる。ミラーを選択した場合には垂直照明となる第一投光光学系へ、平行平板ガラスでは斜方照明となる第二投光光学系へ、ハーフミラーでは垂直照明と斜方照明の複合照射となる第一投光光学系と第二投光光学系に分岐した光路にと、光ビーム６５８の通過する光路を変更する。
【００２７】
垂直照射となる第一投光光学系では、この照射方向切換え機構６５５によりビーム成形機構６５６ｂの方向へ進路方向が切換えられ、光ビーム６５８を検査の目的に適した断面形状に整形された後、ミラー６５７ｇを介してウェーハ１に高角度の仰角（ウェーハ面を基準として）で照射される。
【００２８】
斜方照射となる第二投光光学系では、照射方向切換え機構６５５を通過した後、ミラー６５７ｃを経てビーム成形機構６５６ａの方向へ進路方向が切換えられ、検査の目的に適した断面形状に整形され後、ミラー６５７ｄからミラー６５７ｆを順次介して、ウェーハ１に低角度の仰角で照射される。この照射角（仰角）はミラー６５７ｆと照射角制御機構（図省略）からなる出射部６６０によって、所定の仰角の照射角θｉに制御される。
【００２９】
垂直照明と斜方照明との複合照射では、分岐された光ビーム６５８が上記の２つの投光光学系を介して、ウェーハ１の略同位置に照射される。異なる仰角からの異仰角照明や複数の仰角からの複合照明によって、異物種や欠陥種に対する散乱光分布の特徴量（指向性）を強調し、異物種や欠陥種の分離識別の性能を向上することができる。
【００３０】
図７は、図２に示した第一検出部７７０を、上方から見た配置の一例である。第一検出部７７０は、複数の仰角と方位に配設されたＰＭＴ（Photomultiplier）７７１〜７８０群からなり、大別すると２つの仰角のグループで構成されている。
【００３１】
高仰角検出器のグループであるＰＭＴ７７１〜７７４は、低仰角検出器のグループであるＰＭＴ７７５〜７８０に比べて、仰角（ウェーハ面を基準として）が大きい（高い）位置に配設されている。この高仰角検出器のグループであるＰＭＴ７７１〜７７４は、ＣＯＰ（Crystal Originated Particle）やＯＳＦ（Oxidation induced Stacking Fault）を含む結晶欠陥や、スクラッチ及びキズなどの構造欠陥から放射される散乱光を捕捉するた
めに、仰角を略３０度以上（ウェーハ面を基準）、望ましくは３５度から６５度の範囲に配置されている。
【００３２】
また、高仰角検出器グループの４個のＰＭＴ７７１〜７７４は、各々のＰＭＴが周方向に概略９０度の角度をもって、複数の方位に配置され、異物種や欠陥種から放射される前方散乱，側方散乱，後方散乱などの３様態の散乱光を、効率よく捕捉できる構成となっている。この方位の配置は、特に４個に限定されるものではなく、分離識別する異物種や欠陥種に応じて、各々の散乱光分布の特徴量（指向性）を捕捉しやすい方位に配置しても良い。
【００３３】
低仰角検出器のグループであるＰＭＴ７７５〜７８０は、主に異物の散乱光を受光することを目的に、仰角を略３０度以下（ウェーハ面を基準）、望ましくは５度から２０度の範囲に設定されている。また、低仰角検出器グループの６個のＰＭＴ７７５〜７８０は、各々のＰＭＴが周方向に概略６０度の角度をもって、複数の方位に配置され、異物種や欠陥種から発せられる前方散乱，側方散乱，後方散乱などの３様態の散乱光と、その中間方位へ放射される散乱光を、効率よく捕捉できる構成となっている。この方位の配置は、特に６個に限定されるものではなく、分離識別する異物種や欠陥種に応じて、各々の散乱光分布の特徴量（指向性）を捕捉しやすい方位に配置しても良い。
【００３４】
この第一検出部７７０では、低仰角検出器グループのＰＭＴ７７５〜７８０と高仰角検出器グループのＰＭＴ７７１〜７７４とを合せて計八方位の検出が可能で有り、散乱光分布の方位に対する特徴量（指向性）を効率よく検出することができる。また、ＰＭＴ７７３とＰＭＴ７７７の配置、及びＰＭＴ７７１とＰＭＴ７８０の配置は、略同一方位の異仰角で配設されており、仰角に対する散乱光分布の特徴量を検出可能となっている。異物種や欠陥種から発せられた散乱光分布の特徴量を八方位に配置されたＰＭＴで捕捉し、個々のＰＭＴからの検出信号を演算処理することにより、異物と欠陥の識別や、更にはその異物や欠陥がどの種別に属するものかを弁別することできる。
【００３５】
この異物や欠陥の分離識別は、前記の投光光学系と第一検出部７７０との組合わせにより弁別精度や処理速度を向上することができる。例えば、異物の検出においては、第二投光光学系である斜方照射と低仰角検出器グループのＰＭＴ７７５〜７８０との組合わせが好ましい。一方、欠陥の検出では、識別すべき欠陥種に応じて、第一投光光学系である垂直照射か、若しくは第二投光光学系である斜方照射を選択し、高仰角検出器グループのＰＭＴ７７１〜７７４と組合わせることが好ましい。
【００３６】
さらに、異物種と欠陥種を高速に弁別する上では、第一投光光学系と第二投光光学系の複合照射と、高仰角検出器グループのＰＭＴ７７１〜７７４及び低仰角検出器グループのＰＭＴ７７５〜７８０との異なる仰角の複合検出を組合わせ、散乱光の特徴量（指向性）を演算処理にて分離識別することが好ましい。
【００３７】
図２に戻り、被検査体移動ステージ４１０は、ウェーハ１を載置するチャック４１１，端部でウェーハ１を係止する保持爪４１２，チャック４１１を回転させる回転駆動機構４２０，ウェーハ１の高さを制御する昇降駆動機構４３０，前記チャック４１１と回転駆動機構４２０及び昇降駆動機構４３０と共に略平行に移動させる進退駆動機構（直線駆動機構）４４０などから構成される。
【００３８】
回転駆動機構４２０はスピンドルモータ等の回転装置（図省略）からなり、内設された光学読取式ロータリーエンコーダなどのθ位置検出装置（図省略）から、ウェーハ１の円周方向の角度座標（θ座標）を検出できるようになっている。また、進退駆動機構４４０には、光学読取式のリニアエンコーダを内設しており、ウェーハ１の半径方向の位置座標（ｒ座標）を検出できるようになっている。
【００３９】
この回転駆動機構４２０と進退駆動機構４４０によって、前記第一光照射部６００から照射された光ビーム６５８は、ウェーハ１の被検査面上を螺旋状若しくは円状に走査することになる。光ビーム６５８の走査行路上に、異物や欠陥が存在した際には、これらの異物や欠陥に応じた散乱光が放射される。この散乱光を、前記第一検出部７７０で検知することによって、異物や欠陥の存在が検出される。この第一検出部７７０で検出された散乱光の信号は、検査座標検出部４５０から出力される前記ロータリーエンコーダとリニアエンコーダからの角度座標及び位置座標の信号と関連付けて、データ処理部５００の記憶装置５１２に記憶され、演算処理が行われる。検出された散乱光の強度を基に異物や欠陥のサイズが特定され、検査座標検出部４５０からの座標信号を基にウェーハ１内の異物や欠陥の座標が特定される。
【００４０】
チャック４１１は、ウェーハ１の形状に沿ったリング状のリム４１３を有する凹状の形状をしている。外周部に配設された、このリム４１３にはチャック４１１の内側に向けて下方に傾斜した傾斜面が形成される。ウェーハ１自体は、ウェーハ１の端部（エッジ）でリム４１３の傾斜面に支持され、保持爪４１２によりウェーハ１の被検査面側の端部を押圧することにより、チャック４１１に係止される。チャック４１１の表面とウェーハ１の被検査面の裏面には、リム４１３を介した内部空間４１４が形成され、この内部空間４１４によって、被検査面の裏面とチャック４１１との非接触状態が保たれる。このエッジグリップ機構によって、異物の付着や欠陥が被検査面の裏面に発生することを抑止し、ウェーハ１の表面及び裏面の表面検査を可能としている。
【００４１】
チャック４１１の略中央部には、ガス供給部４１５が配設される。ガス供給部４１５は、チャック４１１及び回転駆動機構４２０に内設したガス供給経路４１６を介して、Ｎ2，Ａｒ，Ｈｅ，空気などのガスを供給する。チャック４１１の表面には、リム４１３よりも低い位置に、上面に平坦部を有するリング状のエアーギャップ形成部４１７が配設される。複数のエアーギャップ形成部４１７は、チャック４１１外周部分の領域を疎に、中央部分の領域に向かって密になるように形成されている。このエアーギャップ形成部４１７の配置は、内部空間４１４内の圧力分布をウェーハ１の中央部分の領域を高く、外周部分が低くなるように調整し、ウェーハ１の自重による撓みや反りを、少ないガス流量により補正できるようになっている。
【００４２】
また、チャック４１１のリム４１３の近傍には、内部空間４１４内のガスをチャック４１１の裏面側へ排出する複数の排気口４１８が配設されている。
【００４３】
ガス供給部４１５から供給されたガスは、エアーギャップ形成部４１７により調整された内部空間４１４内の圧力分布に応じてウェーハ１の裏面へ圧力を伝達し、排気口４１８を介してチャック４１１の外側へ排出される。
【００４４】
これによって、ウェーハ１，チャック４１１本体及びリム４１３に囲まれた内部空間４１４内が所定の圧力分布に保たれ、エアーギャップ形成部４１７とウェーハ１との間に所定量のエアーギャップが常時形成される共に、ウェーハ１の撓みや反りが補正できるようになる。
【００４５】
なお、本実施例のチャック４１１では、複数のエアーギャップ形成部４１７によって圧力分布を調整しているが、図３に示すような、外側へ向けて内部空間４１４が広がるように配設された複数の段差からなるエアーギャップ形成部４１７、若しくは所定の曲率を有する凸状の曲面のエアーギャップ形成部４１７で構成しても、同様の効果を得ることが出来る。エアーギャップ形成部４１７の形状は、チャック４１１本体に加工を施しても良いし、加工した別の要素を組合わせ作成しても良い。
【００４６】
図４は上記ウェーハ１裏面へ供給するガス制御系８００の概略構成を示したものである。このガス制御系８００は、サイドグリップ機構の前記内部空間４１４内へガスを供給し、ウェーハ１の撓みや反りを補正するものである。ガス制御系８００は、ガス流量を制御するＭＦＣ（Mass Flow Controller）などからなる流量制御器８０１，ガス供給経路を開閉するエアーバルブなどからなる遮断弁８０２，遮断弁８０２の開閉に圧縮空気の供給を制御する電磁弁８０３，供給ガス内の塵埃を除去するフィルター８０４，各配管要素を接続する配管８０５などから構成される。この配管８０５は、検査面の裏面に対する異物の付着を抑える上で、内部研磨を施したものが望ましい。
【００４７】
ガス制御系８００はコントローラ５１０からの指示に基づき、ガスの供給タイミングや供給流量を制御する。
【００４８】
ウェーハ１の検査の際には、搬入されたウェーハ１がチャック４１１に保持爪４１２で係止された後、コントローラ５１０から流量制御器８０１へ全閉信号が送信され、流量制御器８０１内部の流量制御弁（図省略）が閉鎖される。
【００４９】
次いで電磁弁８０３への開放信号が送信され、弁を開放して遮断弁８０２に圧縮空気を送り、ガス供給経路が開放される。その後、流量制御器８０１へ流量設定信号が送信され、流量制御弁の開度を次第に上げながらスローアップし、所定の流量に制御される。
【００５０】
なお、検査が終了した際には、電磁弁８０３への閉鎖信号が送信され、電磁弁８０３を閉鎖すると共に内部の圧縮空気を排出して遮断弁８０２が閉鎖される。ガス供給経路の閉鎖によって、ガスの供給が停止した後、保持爪４１２の係止が開放され、搬送部２００によりロードポート１００へウェーハ１が搬出される。
【００５１】
また、内部空間４１４内へ供給するガスは、一般には圧縮空気を用いる事がランニングコストを抑える上で望ましいが、検査面の裏面に対する汚染を抑制する上では純度や露点が制御されているガス、例えばＮ2などが望ましい。
【００５２】
図５は前記ガス制御系８００を制御する設定画面８２０を示したものである。この設定画面８２０は、データ処理部５００の表示装置５３０上に表示され、設定画面８２０の各情報は記憶装置５１２に登録されている。
【００５３】
設定画面８２０は、供給するガス流量を設定・表示する流量設定表示部８２１，ガスの種別を選択・表示する種別選択表示部８２２，ガスの種類によって変化する流量を補正・表示する流量補正表示部８２３，所定流量に達するまでのスローアップ時間を設定・表示するスローアップ設定表示部８２４，ガスの供給及び停止するタイミングを設定・表示するタイミング設定表示部８２５により構成される。
【００５４】
流量補正表示部８２３は、ガスの種類によって決まる係数を、流量設定表示部８２１の設定値に乗じて信号を出力させる。例えば、ＭＦＣはＮ2ガスで校正されており、一般にコンバージョンファクターと呼ばれる熱の奪われ係数を乗じた流量設定信号を流量制御器８０１に出力させる。
【００５５】
タイミング設定表示部８２５は、ウェーハ１がチャック４１１に係止された時点を基点に、０.５〜５秒の遅延時間を持たせてガスの供給開始を制御させる。また、ウェーハ１の表面検査が終了し、回転駆動機構４２０の回転数が所定の回転数以下となった時点を基点に、０.５〜５秒の遅延時間を持たせてガスの供給停止を制御させる。動作を安定化させるための遅延時間を設定できるものであれば、ガスの供給及び停止の基点は、これに限定されるものではない。供給及び停止のタイミングを制御できるものであれば何でも良い。
【００５６】
また、本実施例では、流量補正表示部８２３に入力装置５２０を介して設定を行っているが、種別選択表示部８２２でガス種を選択した際に、当該係数を自動的に変えるように構成しても良い。また、これらの設定表示又は選択表示は入力装置５２０を介しても良いし、設定画面８２０上に感圧手段等を入力手段を用いることで画面上で入力することも可能である。
【００５７】
図８は、図２に示した検査部４００内部の縦断面図から、高さ位置制御部９００に関する要素を抜出した概略構成図である。この高さ位置制御部９００は、前記ガス制御系８００によって補正されたウェーハ１の検査箇所近傍の高さ情報を検出し、その補正が適正か否かを判定する。次いで前記ガス制御系８００で補正し切れなかった検査箇所の上下動位置を制御し、所定の高さ位置に制御する。更には、表面検査中のウェーハ１の反り状態を算出し、前記ガス制御系８００の補正条件が、適正か否かを確認できる様になっている。
【００５８】
高さ位置制御部９００は、上下動位置を検出するための光をウェーハ１検査面に照射する第二光照射部９２０，第二光照射部９２０の反射光（正反射光）を検出しウェーハ１の検査面高さ情報（電気信号）を出力する第二検出器９１０，第二検出器９１０からの電気信号を増幅する増幅器９３０ａ，９３０ｂ，増幅器９３０ａ，９３０ｂからのアナログ信号をデジタル信号に変換するＡ／Ｄ変換機９５０，デジタル信号を演算処理して検査面高さを制御する電気信号を出力（制御信号）するデータ処理部５００，データ処理部５００からの制御信号に基づき昇降駆動機構４３０を駆動する昇降駆動制御回路９４０などから構成される。
【００５９】
この第二の検出器９１０は光電変換素子からなり、本実施例では２分割センサーを用いている。第二光照射部９２０の反射光の受光位置が検知できれば事が足り、ＣＣＤなどを使用することも出来る。
【００６０】
第二光照射部９２０の光源は広帯域の光、若しくは白色光を射出する光源が用いられる。単一波長のレーザ光源などでは、ウェーハ１検査面に形成された膜厚によって、反射光が殆ど得られなくなることがある。この膜厚干渉によって、第二検出器９１０の正反射光の受光が妨げられ、ウェーハ１検査面の上下動位置を検出できないという不具合が起きる。反射率の波長依存性は膜厚や物質によって、様々に変化するため、本実施例の第二光照射部９２０の光源は、ＵＶ光から可視光域の光を射出する広帯域の光源（３５０〜７００ｎｍ）、若しくは白色光のように広範囲の波長を含んだ光を射出する光源となっている。
この光源により、特定波長で正反射光を得られなくとも、その他の波長から反射光を受光可能となり、上下動位置を安定して検出できるようになる。白色光源としては、例えば白色レーザ，白色発光ダイオード，キセノンランプ，水銀ランプ，メタルハイドランプ，ハロゲンランプなどを用いることができる。
【００６１】
この第二光照射部９２０より照射される光は、第一光照射部６００の光ビーム６５８の近傍に照射され、光ビーム６５８が進行する走査行路上の前方に照射される。光ビーム６５８との間隔は、昇降駆動機構の応答速度に応じて決めることが、高さ制御の精度を向上する上で望ましく、第二光照射部９２０に設けられた照射位置制御機構９６０により制御可能となっている。なお、光ビーム６５８に対する座標のズレは、データ処理部５００により演算処理され、第二光照射部９２０の照射座標に補正される。
【００６２】
光源より射出した光は、第二光照射部９２０を介し、前記ガス制御系８００で補正されたウェーハ１検査面に照射される。よって、前記光ビーム６５８と同様、この第二光照射部９２０の照明光もウェーハ１検査面を螺旋状若しくは円状に走査される。ウェーハ１内の座標を変えながら、照明光の照射に伴う検査面からの反射光が第二検出器９１０によって受光され、当該座標における検査面の高さ位置情報が電気信号として出力される。
【００６３】
図９はウェーハ１検査面高さと第二検出器９１０からの出力の関係を示したものである。前述のように、第二検出器９１０に、２分割センサーを使用した一例である。
【００６４】
２分割センサーは上方センサー９１０ａと下方センサー９１０ｂにより構成されている。この２分割センサーは、ウェーハ１検査面の上下動位置によって変わる反射光の集光位置に応じて、出力する検出信号を変化させる。
【００６５】
共に検査面高さに対して凸形状の出力カーブを有するが、上方のセンサー９１０ａはウェーハ１検査面の高い位置側で出力される電気信号が最大値をとり、下方センサー９１０ｂは低い位置側に最大値をとる。よって、これら上方センサー９１０ａと下方センサー９１０ｂから出力される信号の交点、すなわち同じ出力信号となる位置を、制御すべきウェーハ１検査面の高さとして検出する。本実施例では、この制御すべき所定の検査面高さを、焦点位置に設定している。第一投光光学系、及び第二投光光学系の光ビーム６５８は、この所定高さにおいて所定のビームスポットを形成するように調整され、第二検出器９１０は、この所定高さを検出するように配設されている。
【００６６】
上方センサー９１０ａと下方センサー９１０ｂより出力された高さ位置情報の電気信号は、各々の増幅器９３０ａ，９３０で増幅され、Ａ／Ｄ変換機９５０へ送られる。アナログの高さ位置情報の電気信号は、このＡ／Ｄ変換機９５０でデジタルの電気信号に変換され、各々の電気信号がデータ処理部５００へ出力される。データ処理部５００は、電気信号に基づいて演算処理し、所定の検査面高さからの位置ズレ（差分信号）を検出する。
【００６７】
次いでデータ処理部５００は、この位置ズレを補正するための制御信号を昇降駆動制御回路９４０に出力する。昇降駆動制御回路９４０は、制御信号に基づいて昇降駆動機構４３０を駆動し、所定の検査面高さに制御する。昇降駆動機構４３０には、例えばパルスモータなどの駆動装置を内設しており、前記検出された位置ズレが所定値に低下するまで、昇降駆動制御回路９４０から駆動信号（パルス）を出力し、所定の検査面高さに制御する。
【００６８】
昇降駆動制御回路９４０から駆動装置へ出力された駆動信号は、検査座標検出部４５０を介して出力されるウェーハ１検査箇所の角度座標及び位置座標の信号と関連付けて、データ処理部５００の記憶装置５１２に記憶され、演算処理によりウェーハ１の反り状態が算出される。
【００６９】
例えば、駆動信号１パルスに対する上下動の移動距離は、パルスモータとその駆動に係わる機械要素の仕様から求めることができる。よって、第二光照射部９２０の照射光が走査した座標と、それに対応する駆動信号の出力来歴を基に、座標の始点から終点へ順次追跡していけば、座標に対する所定の検査面高さと実際の検査箇所の距離（ズレ量）が求められる。すなわちウェーハ１の反りの状態を求めることができる。
【００７０】
あるいは、所定の検査面高さ補正に移行前のＡ／Ｄ変換機９５０からの出力をそのまま用いて、上方センサー９１０ａに基づくＡ／Ｄ変換機９５０からの信号をＡ、下方センサー９１０ｂに基づくＡ／Ｄ変換機９５０からの信号をＢとし、数１によって求めても良い。
【００７１】
Ｈ＝α（Ａ−Ｂ）／（Ａ＋Ｂ）                ・・・（数１）
【００７２】
ここで、（Ａ＋Ｂ）は第二検出器９１０が受光した反射光の総和を表し、上方センサー９１０ａと下方センサー９１０ｂとの差分信号である（Ａ−Ｂ）を（Ａ＋Ｂ）で商算することにより、受光量変化に対する影響を緩和する。αは上下移動量の補正係数であり、膜種，膜厚に応じて、駆動信号若しくは移動距離に対する変化量を予め求めておけば良い。
Ｈは所定の検査面高さとの距離を表し、その符号は、所定の検査面高さに対して、高いか低いかの位置関係を示している。
【００７３】
このデータ処理部５００で演算処理されたＨの値を、前記と同様の方法にて、検査座標検出部４５０を介して出力されるウェーハ１検査箇所の角度座標及び位置座標の信号と関連付けて、データ処理部５００の記憶装置５１２に記憶し、座標に対応したＨ値の演算処理によりウェーハ１の反り状態が算出される。なお、ウェーハ１検査面に透光性の膜が形成されている場合、膜下の界面、すなわちＳｉ面を検査面として捉えてしまうことがある。このような場合には、オフセット値を持たせ、その信号を加味した信号で制御することが望ましい（高さ検出補正手段）。例えば、前述の算出方法では、位置ズレ（差分信号）にオフセット値に対応する出力信号を加算すれば良い。また、後述の算出手段においては、数１のα（Ａ−Ｂ）／（Ａ＋Ｂ）をα（Ａ−Ｂ＋Ｃ）／（Ａ＋Ｂ）として、差分信号の項にオフセット値が設定できるようにすれば良い。
【００７４】
図１０は高さ位置制御部９００によって検出されたウェーハ１検査面全体の反り状態表示，反り状態の解析、及び補正供給ガス量をシュミレーションするための表示設定画面１０００の概略を示したものである。この表示設定画面１０００はデータ処理部５００の表示装置５３０上に表示され、入力装置５２０を介して操作可能に構成される。
【００７５】
画面の左上部には、測定から得られた反りの数値を示す結果表示機能１０１０が配設されており、例えば最大の反り量，曲率半径，反りの方向などが表示される。曲率半径は、２つのポインター１０２０で挟まれる指定された方向の曲率半径を算出して表示するものであり、この方向の反り量のプロファイルが形状表示機能１０３０によって表示される。
【００７６】
プロファイルの任意の位置をポインター１１２０により選択すれば、そのポイントにおける座標と反りの数値が表示される（ポイント表示機能）。
【００７７】
反りの方向は、反りの形状が凸状あるいは凹状か否かを示すものであり、例えば、凸状は−に凹状は＋として表示される。
【００７８】
左下部には、反り状態表示機能１０５０が配設されており、ウェーハ１の位置関係を統一するために、ノッチやオリフラなどの基点１０４０を所定の画面位置に配置して表示する。この反り状態の画像表示は、３Ｄ表示や等高線表示、または濃淡画像表示やカラー表示などによって、ウェーハ１面内の反りの状態が、一目で確認できるように表示される。
表示の形態については、ここで特に限定されるものではないが、オペレータの好みに応じて、前述以外の表示方法も含め、表示選択機能１０６０により選択可能となっている。
【００７９】
右上部には、反り状態の測定結果に対して、補正ガス供給量の条件設定を検討するための供給ガス量試算機能１０７０が配設されている。反り量の目標値を設定する目標設定機能１０８０と、例えば、回転駆動機構４２０の回転数、エアーギャップ形成部４１７の形状など、条件を設定するためのいくつかの条件設定機能１０９０から構成されており、入力装置５２０を介して任意の数値を入力した後、処理指示機能１１００をクリックすることにより、目標の反り量に収束させるための補正供給ガス量が算出される。試算された補正供給ガス量は、結果表示機能１１１０を介して表示される。
【００８０】
供給ガス量試算機能１０７０は、２つの試算モードを有し、１つはウェーハ１全体を反り量の目標値に収束させるものであり、もう一方は、前記プロファイルの任意の指定箇所を反り量の目標値に収束させるものである。この試算モードの選択は、試算モード選択機能１１３０により選択可能となっており、プロファイル上の指定箇所は、ポインター１１４０により指示することができる。
【００８１】
次に本実施例における、表面検査装置の処理フローについて詳細を説明する。
【００８２】
ウェーハ１検査面の表面検査は、表示装置５３０上の検査プログラムへの実行指示により開始される。ウェーハポッド１１０内のウェーハ１は、搬送部２００の搬送装置２１０によってハンドリングされ、プリアライメント部３００へと搬送される。
【００８３】
ここで、ウェーハ１の検査面が裏面を対象とする場合には、一旦反転ユニットに載置され、ウェーハ１の表裏面が反転されたのち、プリアライメント部３００の載置部３１０に載置される。検査面が表面の場合には、そのままプリアライメント部３００の載置部３１０に載置されることになる。
【００８４】
載置部３１０に載置されたウェーハ１は、ウェーハ１の略中心位置とノッチの位置の粗位置補正（プリアライメント）が行われ、次いで再び搬送装置２１０によって、検査部４００へとハンドリングされる。検査部４００へとハンドリングされたウェーハ１は、チャック４１１上に載置され、保持爪４１２によってチャック４１１に係止される。
【００８５】
次いで、ガス供給設定画面８２０の設定条件に従って、コントローラ５１０がガス制御系８００へと指令信号を出力し、ガス供給経路４１６，ガス供給部４１５の介してウェーハ１検査面の裏面へ反り補正用のガスを供給する。ウェーハ１は反り補正用ガスによって、自重による反りやうねりが補正される。被検査体移動ステージ４１０は、この状態を保ちながら、検査開始位置へと移動する。
【００８６】
コントローラ５１０からの検査開始命令により、予め算出したウェーハ１の略中心に光ビーム６５８が照射されるように進退駆動機構４４０と、高さ位置制御部９００を介して昇降駆動機構４３０を制御し、表面検査の始点位置補正が行われる。
【００８７】
回転駆動機構４２０は、始点位置補正動作と並行して、チャック４１１の回転を開始し回転数の上昇を加速する。この始点位置補正動作と回転数加速動作の並行処理（パラレル処理）により、表面検査に係わる所要時間が短縮され、スループットが向上する。
【００８８】
コントローラ５１０は、前記２つの動作が略同期して完了するように、位置補正動作完了のタイミングを見計らいながら、所定回転数に達するよう回転駆動機構４２０を制御し、所定回転数に達した後は、回転数を略一定に保持する。
【００８９】
高速回転するウェーハ１検査面に光ビーム６５８を照射しながら、進退駆動機構４４０を一軸方向に略直線移動することで、光ビーム６５８は螺旋状，渦巻き状若しくは円状に相対移動し、検査面内を高速に走査する（走査機構）。一方、高さ位置制御部９００は、光ビーム６５８が進行する走査行路の前方に、第二光照射部７２０の照明光を照射し、ウェーハ１の検査箇所の高さ情報を採取するとともに、光ビーム６５８が照射される検査箇所を焦点位置の高さに制御する。
【００９０】
光ビーム６５８の照射により異物や欠陥から発生した散乱光は、第一検出器７００により受光され、検査座標検出部４５０を介して出力される進退駆動機構４４０と回転駆動機構４２０の相対的移動位置情報（ｒ座標，θ座標）と共に、データ処理部５００にてデータ解析され、異物や欠陥の大きさ及びウェーハ１内の位置座標が求められる。同様に、高さ位置制御部９００が採取した検査箇所の高さ情報は、検査座標検出部４５０を介して出力される進退駆動機構４４０と回転駆動機構４２０の相対的移動位置情報（ｒ座標，θ座標）と共に、データ処理部５００にてデータ解析され、反りやうねりの大きさ、ウェーハ１内の反り状態が求められる。これらの異物や欠陥及び反りの情報は、ウェーハ１個々のＩＤが付せられて、記憶装置５１２に記憶される。
【００９１】
前記の焦点位置への高さ位置制御によって、第一投光光学系である垂直照射では、光ビーム６５８のビームスポット径が適正に維持され、検出感度が向上する。第二投光光学系である斜方照射では、検出感度のほか、異物や欠陥の座標精度が向上する。さらに第一投光光学系と第二投光光学系を併用した投光光学系では、検出感度のほか、虚報を低減することができる。
【００９２】
検査が終了したウェーハ１は、再び搬送装置２１０によってハンドリングされ、ロードポート１００のウェーハポッド１１０へ収納される。
【００９３】
なお、本実施例では第一検出器７００にＰＭＴ（Photomultiplier）を用いているが、これに限定されるものでは無く、ＡＰＤ（Avalanche Photodiode），ＣＣＤ（Charge Coupled Device），ＥＭ−ＣＣＤ（Electron Multiplier ＣＣＤ），ＣＭＯＳ  ＡＰＳ（ＣＭＯＳ Active Pixel Sensor)など、検出した光を電気信号に変換する光電変換素子であれば使用することができる。
【産業上の利用可能性】
【００９４】
以上、半導体デバイスの製造に係わる表面検査装置を一例に、半導体基板（ウェーハ）を被検査体として説明したが、本発明の技術は半導体基板に限定されるものではなく、検査中の高速回転のウェーハに対して、リアルタイムでその反り量を検出する必要性のある分野に使用できる。液晶パネルやＴＦＴモジュールに用いられるガラス基板，センサーやＬＥＤに用いられるサファイヤ基板など、基板材質の如何を問わず、平板状の基板であれば使用することができる。また、半導体デバイスの製造工程に限定されるものではなく、各種のセンサー，ハードディスク，液晶パネル表示装置などの様々な製造工程における表面検査装置に広く適用することができる。
【符号の説明】
【００９５】
１  ウェーハ（被検査体）
１００  ロードポート
１１０  ウェーハポッド
２００  搬送部
２１０  搬送装置
２２０  ハンドリングアーム
２３０  固持側壁部
２４０  把持ブロック
２５０  Ｙ軸搬送ユニット
３００  プリアライメント部
３１０  載置台
３２０  センサー
４００  検査部
４１０  被検査体移動ステージ
４１１  チャック
４１２  保持爪
４１３  リム
４１４  内部空間
４１５  ガス供給部
４１６  ガス供給経路
４１７  エアーギャップ形成部
４１８  排気口
４２０  回転駆動機構
４３０  昇降駆動機構
４４０  進退駆動機構
４５０  検査座標検出部
５００  データ処理部
５１０  コントローラ
５１１  演算処理装置
５１２  記憶装置
５１３  制御装置
５２０  入力装置
５３０  表示装置
５４０  出力装置
５５０  外部記憶装置
６００  第一光照射部
６５１  レーザ光源
６５２  シャッタ
６５３  アッテネータ
６５４  光軸補正機構
６５５  照射方向切換え機構
６５６ａ，６５６ｂ  ビーム成形機構
６５７ａ〜６５７ｇ  ミラー
６５８  光ビーム
６６０  出射部
７１０，９１０  第二検出器
７２０，９２０  第二光照射部
７７０  第一検出部
７７１〜７８０  ＰＭＴ
８００  ガス制御系
８０１  流量制御器
８０２  遮断弁
８０３  電磁弁
８０４  フィルター
８０５  配管
８２０  設定画面
８２１  流量設定表示部
８２２  種別選択表示部
８２３  流量補正表示部
８２４  スローアップ設定表示部
８２５  タイミング設定表示部
９００  高さ位置制御部
９３０ａ，９３０ｂ  増幅器
９４０  昇降駆動制御回路
９５０  Ａ／Ｄ変換機
９６０  照射位置制御機構
１０００  表示設定画面
１０１０  結果表示機能
１０２０，１１２０，１１４０  ポインター
１０３０  形状表示機能
１０４０  基点
１０５０  反り状態表示機能
１０６０  表示選択機能
１０７０  供給ガス量試算機能
１０８０  目標設定機能
１０９０  条件設定機能
１１００  処理指示機能
１１１０  結果表示機能
１１３０  試算モード選択機能
【図１】
2010175551.tif 000003
【図２】
2010175551.tif 000004
【図３】
2010175551.tif 000005
【図４】
2010175551.tif 000006
【図５】
2010175551.tif 000007
【図６】
2010175551.tif 000008
【図７】
2010175551.tif 000009
【図８】
2010175551.tif 000010
【図９】
2010175551.tif 000011
【図１０】
2010175551.tif 000012